(57)【要約】【課題】投入した金銭を有効に利用できる課金電話装置及び課金電話システムを実現する。【解決手段】現金収受手段を備え、インターネット電話端末を不特定多数の利用者に有料で使用させる課金電話装置であって、インターネットに接続するインターネット接続手段と、前記インターネット電話端末を利用者が利用したことに対する課金額を計算して取得する課金情報取得手段と、前記現金収受手段が収受した現金の額を取得する収受額取得手段と、該収受額取得手段にて取得した収受額が前記課金情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、つり銭切れの場合に、地域通貨又はポイントとして貯めるポイント管理手段とを有する。【選択図】　　図１
0003097522.tif 000002
【実用新案登録請求の範囲】
【請求項１】
現金収受手段を備え、インターネット電話端末を不特定多数の利用者に有料で使用させる課金電話装置であって、
インターネットに接続するインターネット接続手段と、
前記インターネット電話端末を利用者が利用したことに対する課金額を計算して取得する課金情報取得手段と、
前記現金収受手段が収受した現金の額を取得する収受額取得手段と、
該収受額取得手段にて取得した収受額が前記課金情報取得手段にて取得した課金額と同じである場合に、前記課金情報取得手段にて取得した情報を前記インターネット接続手段によりリアルタイムでサーバに送信する課金情報送信手段と、
を有する課金電話装置。
【請求項２】
現金収受手段を備え、インターネット電話端末を不特定多数の利用者に有料で使用させる課金電話装置であって、
インターネットに接続するインターネット接続手段と、
前記インターネット電話端末を利用者が利用したことに対する課金額を計算して取得する課金情報取得手段と、
前記現金収受手段が収受した現金の額を取得する収受額取得手段と、
該収受額取得手段にて取得した収受額が前記課金情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、
を有する課金電話装置。
【請求項３】
現金収受手段を備え、インターネット電話端末を不特定多数の利用者に有料で使用させる課金電話装置であって、
インターネットに接続するインターネット接続手段と、
前記インターネット電話端末を利用者が利用したことに対する課金額を計算して取得する課金情報取得手段と、
前記現金収受手段が収受した現金の額を取得する収受額取得手段と、
該収受額取得手段にて取得した収受額が前記課金情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、
つり銭切れの場合に、地域通貨又はポイントとして貯めるポイント管理手段と
を有する課金電話装置。
【請求項４】
現金収受手段を備え、インターネット電話端末を不特定多数の利用者に有料で使用させる課金電話装置であって、
インターネットに接続するインターネット接続手段と、
前記インターネット電話端末を利用者が利用したことに対する課金額を計算して取得する課金情報取得手段と、
前記現金収受手段が収受した現金の額を取得する収受額取得手段と、
該収受額取得手段にて取得した収受額が前記課金情報取得手段にて取得した支払額よりも少なくなる場合に、利用者に対して現金の投入を促す現金投入促進手段と、
を有する課金電話装置。
【請求項５】
請求項１、２、３又は４のいずれかに記載した課金電話装置であって、
利用者が利用を開始する際に、当該利用者の同定をする利用者同定手段と、
前記インターネット接続手段によりサーバに接続して当該利用者が使い残したポイントを取得するポイント取得手段と
をさらに有し、該ポイント取得手段にて取得した残りのポイントを反映させて前記課金情報取得手段における課金情報の計算を実行する課金電話装置。
【請求項６】
現金収受手段を備え、インターネット電話端末を不特定多数の利用者に有料で使用させる課金電話装置と、インターネットを通じて該課金電話装置に接続される課金情報管理サーバとからなる課金電話システムであって、
前記課金電話装置は、
インターネットに接続するインターネット接続手段と、
前記インターネット電話端末を利用者が利用したことに対する課金額を計算して取得する課金情報取得手段と、
前記現金収受手段が収受した現金の額を取得する収受額取得手段と、
該収受額取得手段にて取得した収受額が前記課金情報取得手段にて取得した課金額と同じである場合に、前記課金情報取得手段にて取得した情報を前記インターネット接続手段によりリアルタイムでサーバに送信する課金情報送信手段と
を有し、
前記課金情報管理サーバは、利用者のポイントの残りについての情報を含む課金情報を管理する
課金電話システム。
【請求項７】
現金収受手段を備え、インターネット電話端末を不特定多数の利用者に有料で使用させる課金電話装置と、インターネットを通じて該課金電話装置に接続される課金情報管理サーバとからなる課金電話システムであって、
前記課金電話装置は、
インターネットに接続するインターネット接続手段と、
前記インターネット電話端末を利用者が利用したことに対する課金額を計算して取得する課金情報取得手段と、
前記現金収受手段が収受した現金の額を取得する収受額取得手段と、
該収受額取得手段にて取得した収受額が前記課金情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、
を有し、
前記課金情報管理サーバは、利用者のポイントの残りについての情報を含む課金情報を管理する
課金電話システム。
【請求項８】
現金収受手段を備え、インターネット電話端末を不特定多数の利用者に有料で使用させる課金電話装置と、インターネットを通じて該課金電話装置に接続される課金情報管理サーバとからなる課金電話システムであって、
前記課金電話装置は、
インターネットに接続するインターネット接続手段と、
前記インターネット電話端末を利用者が利用したことに対する課金額を計算して取得する課金情報取得手段と、
前記現金収受手段が収受した現金の額を取得する収受額取得手段と、
該収受額取得手段にて取得した収受額が前記課金情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、
つり銭切れの場合に、地域通貨又はポイントとして貯めるポイント管理手段と
を有し、
前記課金情報管理サーバは、利用者のポイントの残りについての情報を含む課金情報を管理する
課金電話システム。
【請求項９】
現金収受手段を備え、インターネット電話端末を不特定多数の利用者に有料で使用させる課金電話装置と、インターネットを通じて該課金電話装置に接続される課金情報管理サーバとからなる課金電話システムであって、
前記課金電話装置は、
インターネットに接続するインターネット接続手段と、
前記インターネット電話端末を利用者が利用したことに対する課金額を計算して取得する課金情報取得手段と、
前記現金収受手段が収受した現金の額を取得する収受額取得手段と、
該収受額取得手段にて取得した収受額が前記課金情報取得手段にて取得した支払額よりも少なくなる場合に、利用者に対して現金の投入を促す現金投入促進手段と、
を有し、
前記課金情報管理サーバは、利用者のポイントの残りについての情報を含む課金情報を管理する
課金電話システム。
【請求項１０】
請求項６、７、８又は９のいずれかに記載した課金電話システムであって、
前記課金電話装置は、
利用者が利用を開始する際に、当該利用者の同定をする利用者同定手段と、
前記インターネット接続手段によりサーバに接続して当該利用者が使い残したポイントを取得するポイント取得手段と
をさらに有し、該ポイント取得手段にて取得した残りのポイントを反映させて前記課金情報取得手段における課金情報の計算を実行する課金電話装置。
【請求項１１】
請求項１、２、３、４又は５のいずれかに記載した課金電話装置であって、前記インターネット電話は、音声情報と画像情報とを組み合わせたテレビ電話である課金電話装置。
【請求項１２】
請求項６、７、８、９又は１０のいずれかに記載した課金電話装置であって、前記インターネット電話は、音声情報と画像情報とを組み合わせたテレビ電話である課金電話システム。
【考案の詳細な説明】
【０００１】
【考案の属する技術分野】本考案は、現金収受手段を備え、インターネット電話端末を不特定多数の利用者に有料で使用させる課金電話装置に関する。
【０００２】
【従来の技術】従来の公衆電話端末にあっては、いわゆるピンク電話などで１０円玉又は１００円玉を投入して投入額に応じた時間だけ通話ができるものが不特定多数の利用者の便宜のために街角に設置されていた。
【０００３】
【考案が解決しようとする課題】図３は、従来の公衆電話に１００円を投入した際のおつりについて説明する概念図である。従来の公衆電話では、１００円を投入して１０円分の通話しかしなかった場合に、９０円は戻ってこなかった。本考案の考案者は、これからの電話はＩＰ電話（インターネットを通じて音声情報や画像情報を伝達することによる電話）が主流となっていくであろうことであることに鑑みて、料金を適切に管理することが可能であることに気づいた。本考案は、投入した金銭を有効に利用できる課金電話装置及び課金電話システムを提供することを目的とする。
【０００４】
【課題を解決するための手段】かかる課題を解決すべく、本考案にかかる課金電話装置は、現金収受手段を備え、インターネット電話端末を不特定多数の利用者に有料で使用させる課金電話装置であって、インターネットに接続するインターネット接続手段と、前記インターネット電話端末を利用者が利用したことに対する課金額を計算して取得する課金情報取得手段と、前記現金収受手段が収受した現金の額を取得する収受額取得手段と、該収受額取得手段にて取得した収受額が前記課金情報取得手段にて取得した課金額と同じである場合に、前記課金情報取得手段にて取得した情報を前記インターネット接続手段によりリアルタイムでサーバに送信する課金情報送信手段と、を有するものである。
【０００５】請求項２に記載した考案は、現金収受手段を備え、インターネット電話端末を不特定多数の利用者に有料で使用させる課金電話装置であって、インターネットに接続するインターネット接続手段と、前記インターネット電話端末を利用者が利用したことに対する課金額を計算して取得する課金情報取得手段と、前記現金収受手段が収受した現金の額を取得する収受額取得手段と、該収受額取得手段にて取得した収受額が前記課金情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、を有するものである。
【０００６】請求項３に記載した考案は、現金収受手段を備え、インターネット電話端末を不特定多数の利用者に有料で使用させる課金電話装置であって、インターネットに接続するインターネット接続手段と、前記インターネット電話端末を利用者が利用したことに対する課金額を計算して取得する課金情報取得手段と、前記現金収受手段が収受した現金の額を取得する収受額取得手段と、該収受額取得手段にて取得した収受額が前記課金情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、つり銭切れの場合に、地域通貨又はポイントとして貯めるポイント管理手段とを有するものである。
【０００７】請求項４に記載した考案は、現金収受手段を備え、インターネット電話端末を不特定多数の利用者に有料で使用させる課金電話装置であって、インターネットに接続するインターネット接続手段と、前記インターネット電話端末を利用者が利用したことに対する課金額を計算して取得する課金情報取得手段と、前記現金収受手段が収受した現金の額を取得する収受額取得手段と、該収受額取得手段にて取得した収受額が前記課金情報取得手段にて取得した支払額よりも少なくなる場合に、利用者に対して現金の投入を促す現金投入促進手段と、を有するものである。
【０００８】請求項５に記載した考案は、請求項１、２、３又は４のいずれかに記載した課金電話装置であって、利用者が利用を開始する際に、当該利用者の同定をする利用者同定手段と、前記インターネット接続手段によりサーバに接続して当該利用者が使い残したポイントを取得するポイント取得手段とをさらに有し、該ポイント取得手段にて取得した残りのポイントを反映させて前記課金情報取得手段における課金情報の計算を実行するものである。
【０００９】請求項６に記載した考案は、現金収受手段を備え、インターネット電話端末を不特定多数の利用者に有料で使用させる課金電話装置と、インターネットを通じて該課金電話装置に接続される課金情報管理サーバとからなる課金電話システムであって、前記課金電話装置は、インターネットに接続するインターネット接続手段と、前記インターネット電話端末を利用者が利用したことに対する課金額を計算して取得する課金情報取得手段と、前記現金収受手段が収受した現金の額を取得する収受額取得手段と、該収受額取得手段にて取得した収受額が前記課金情報取得手段にて取得した課金額と同じである場合に、前記課金情報取得手段にて取得した情報を前記インターネット接続手段によりリアルタイムでサーバに送信する課金情報送信手段とを有し、前記課金情報管理サーバは、利用者のポイントの残りについての情報を含む課金情報を管理するものである。
【００１０】請求項７に記載した考案は、現金収受手段を備え、インターネット電話端末を不特定多数の利用者に有料で使用させる課金電話装置と、インターネットを通じて該課金電話装置に接続される課金情報管理サーバとからなる課金電話システムであって、前記課金電話装置は、インターネットに接続するインターネット接続手段と、前記インターネット電話端末を利用者が利用したことに対する課金額を計算して取得する課金情報取得手段と、前記現金収受手段が収受した現金の額を取得する収受額取得手段と、該収受額取得手段にて取得した収受額が前記課金情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、を有し、前記課金情報管理サーバは、利用者のポイントの残りについての情報を含む課金情報を管理するものである。
【００１１】請求項８に記載した考案は、現金収受手段を備え、インターネット電話端末を不特定多数の利用者に有料で使用させる課金電話装置と、インターネットを通じて該課金電話装置に接続される課金情報管理サーバとからなる課金電話システムであって、前記課金電話装置は、インターネットに接続するインターネット接続手段と、前記インターネット電話端末を利用者が利用したことに対する課金額を計算して取得する課金情報取得手段と、前記現金収受手段が収受した現金の額を取得する収受額取得手段と、該収受額取得手段にて取得した収受額が前記課金情報取得手段にて取得した支払額よりも多い場合に、前記支払情報取得手段にて取得した情報を前記インターネット接続手段によりリアルタイムでサーバに送信するとともにおつりの支払い情報を前記現金収受機に伝達する支払情報送信手段と、つり銭切れの場合に、地域通貨又はポイントとして貯めるポイント管理手段とを有し、前記課金情報管理サーバは、利用者のポイントの残りについての情報を含む課金情報を管理するものである。
【００１２】請求項９に記載した考案は、現金収受手段を備え、インターネット電話端末を不特定多数の利用者に有料で使用させる課金電話装置と、インターネットを通じて該課金電話装置に接続される課金情報管理サーバとからなる課金電話システムであって、前記課金電話装置は、インターネットに接続するインターネット接続手段と、前記インターネット電話端末を利用者が利用したことに対する課金額を計算して取得する課金情報取得手段と、前記現金収受手段が収受した現金の額を取得する収受額取得手段と、該収受額取得手段にて取得した収受額が前記課金情報取得手段にて取得した支払額よりも少なくなる場合に、利用者に対して現金の投入を促す現金投入促進手段とを有し、前記課金情報管理サーバは、利用者のポイントの残りについての情報を含む課金情報を管理するものである。
【００１３】請求項１０に記載した考案は、請求項６、７、８又は９のいずれかに記載した課金電話システムであって、前記課金電話装置は、利用者が利用を開始する際に、当該利用者の同定をする利用者同定手段と、前記インターネット接続手段によりサーバに接続して当該利用者が使い残したポイントを取得するポイント取得手段とをさらに有し、該ポイント取得手段にて取得した残りのポイントを反映させて前記課金情報取得手段における課金情報の計算を実行する課金電話装置。
【００１４】請求項１１に記載した考案は、請求項１、２、３、４又は５のいずれかに記載した課金電話装置であって、前記インターネット電話は、音声情報と画像情報とを組み合わせたテレビ電話であるものである。
【００１５】請求項１２に記載した考案は、請求項６、７、８、９又は１０のいずれかに記載した課金電話装置であって、前記インターネット電話は、音声情報と画像情報とを組み合わせたテレビ電話であるものである。
【００１６】
【考案の実施の形態】以下、図面を参照しつつ、本考案の実施形態について説明する。図１は、課金電話システムに関係するサーバーを示した概念図である。課金電話機１０は、課金電話端末であって、ＩＰ電話（インターネット電話）端末として機能する。また、課金電話機１０は、利用者が現金を投入した際に、それを受け入れて投入額を認識する手段をも有している。また、所定のルールに従って利用者の電話利用に対して課金を行い、投入額に応じた時間が経過するときに追加投入を促す手段、追加投入がなされなかったときに通話を切断する手段、投入額が通話料金よりも多かった状態で通話が終わった際にサーバにポイントとして預かる手段、前回の残りポイントを取り込んで今回の利用のために用いる手段、前回の残りポイント使用のために本人認証をする手段、利用者とのマンマシンインタフェースをとるための表示手段及び入力手段、インターネットに常時接続するための手段などが設けられている。これらは、課金電話装置に組み込まれたコンピュータ（マイコン）により実現できるが、課金電話装置側のプログラムはなるべく小さいものとして、課金電話サーバ２０側で動かすプログラムや、管理する情報を多くすることが望ましい。
【００１７】図１の課金電話サーバ２０は、個人認証を実行した上で、課金情報、支払い情報、残ポイント情報などを管理するサーバである。課金電話機１０は、課金電話サーバ２０を介してインターネット３０に接続し、さらに交換機もしくはＩＰ電話サーバ４０を介して相手機５０につながってインターネットプロトコルによる通話が実現される。利用者が欲すれば、動画や静止画の画像を送ることを同時に行いテレビ電話とすることもできる。
【００１８】図２は、課金電話端末と通話できる相手の電話の種類を示す概念図である。同種類の課金電話端末に限らず、携帯電話、国際電話などの相手に電話をかけることが可能となる。
【００１９】図４は、本考案にかかる課金電話で千円札を投入し、１０円分の通話をした場合のおつりの扱いについて説明した概念図である。おつりを出す手段がこの課金電話機に備わっている場合であってその利用者が使い終わったときにおつりを出せるだけの硬貨が存在すれば、９９０円のおつりを受け取ることができる。しかし、おつりが用意できない場合や、おつりが用意できても利用者が小銭を受け取ることを欲しない場合には、サーバ上にポイントとして預けておき、別の機会に利用することができる。預けたポイントを後に利用する際には、適切な本人認証を経て、それを用いることとなる。
【００２０】
【考案の効果】
以上説明したように本考案は、投入した金銭を有効に利用できる課金電話装置及び課金電話システムの実現を可能にした。
【図面の簡単な説明】
【図１】課金電話システムに関係するサーバーを示した概念図である。
【図２】課金電話端末と通話できる相手の電話の種類を示す概念図である。
【図３】従来の公衆電話に１００円を投入した際のおつりについて説明する概念図である。
【図４】本考案にかかる課金電話で千円札を投入し、１０円分の通話をした場合のおつりの扱いについて説明した概念図である。
【符号の説明】
１０　課金電話機
２０　課金電話サーバ
３０　インターネット
４０　交換機もしくはＩＰ電話サーバ
５０　相手機
【図１】
0003097522.tif 000003
【図２】
0003097522.tif 000004
【図３】
0003097522.tif 000005
【図４】
0003097522.tif 000006